(57)【要約】【課題】仮想立体音場を形成するときに発生する、音圧の著しい低下を防ぐ携帯電話機を提供する。【解決手段】携帯電話機に２つのスピーカを備え、波形又は位相の異なる電気信号をそれぞれのスピーカに印加するステレオ再生手段を含み、２つのスピーカの音孔を左右に分離する、もしくは音孔周囲を筐体面より下げることで、筐体面が音響仕切りとなるような構造を持たせる。【選択図】        図５
2004221840.tif 000002
【特許請求の範囲】
【請求項１】
無線信号の符号化等を行う送信部と、
無線信号の復号化等を行う受信部と、
ステレオ信号を生成するステレオ音源部と、
電話機の動作の指示内容を入力する操作部と、
装置全体の制御を司る制御部と、
２つのスピーカと、
前記スピーカに電気信号を印加するステレオ再生手段と、
前記２つのスピーカの間に、空気音響振動を分離する音響仕切り手段とを有することを特徴とするステレオ携帯電話。
【請求項２】
前記ステレオ再生手段は、１つの電気信号の位相を反転し、仮想音響空間を形成することを特徴とする請求項１に記載のステレオ携帯電話。
【請求項３】
前記音響仕切り手段は、アンテナ収容の為の筐体隆起部分であることを特徴とする請求項２に記載のステレオ携帯電話。
【請求項４】
前記スピーカは、音孔周囲を筐体面より低い位置に設置されたことを特徴とする請求項２に記載のステレオ携帯電話。
【請求項５】
前記スピーカは、筐体の前背面に設置されたことを特徴とする請求項２に記載のステレオ携帯電話。
【請求項６】
筐体は２つの筐体を折り畳む折り畳み筐体であって、前記スピーカはそれぞれの筐体背面に１つずつ備えられたことを特徴とする請求項２に記載のステレオ携帯電話。
【請求項７】
前記スピーカは、不使用時にカバーで覆われており、使用時には当該カバーを開けることで当該カバーが前記音響仕切り手段として機能することを特徴とする請求項３から６のいずれか１項に記載のステレオ携帯電話。
【発明の詳細な説明】
【０００１】
【発明の属する技術分野】
本発明は、複数のスピーカと、スピーカ間に音響仕切りとを有し、立体音響空間における音圧レベルの低下を抑えるステレオ携帯電話に関する。
【０００２】
【従来の技術】
近年携帯電話においても着信メロディーの高音質化が行われてきている。ステレオ化もそのひとつで今後発展が期待される。このステレオ効果を発揮する技術に仮想的な立体音響空間を形成するものがある。
【０００３】
２つのスピーカを有し、ステレオ効果を実現する携帯電話に関する文献を以下に挙げる。
特許文献１では、筐体の両端にスピーカを有し、ステレオ音を効果的に出力する携帯電話機を提示する。
【０００４】
特許文献２では、通話に用いるスピーカとマイクを筐体の背面に設置し、マイクにスピーカ機能を付加することで２つのスピーカによるステレオ再生を実現する。
【０００５】
また、２つのスピーカを有する携帯電話機としては、非特許文献１がある。
【０００６】
【特許文献１】
特開２００２−０５７７６８号公報
【特許文献２】
特開２００２−２８１１３５号公報
【非特許文献１】
ＫＥＮＷＯＯＤ  、ＪＫ５１製品情報、［ｏｎｌｉｎｅ］、平成１４年３月４日、Ｋｅｎｗｏｏｄ  Ｃｏｒｐｏｒａｔｉｏｎ  、［平成１４年１２月１３日検索］、インターネット＜ＵＲＬ：ｈｔｔｐ：／／ｗｗｗ．ｋｅｎｗｏｏｄ．ｃｏｍ／ｊ／ｐｒｏｄｕｃｔｓ／ｐｈｏｎｅｓ／ｋｅｉｔａｉ／ｊｋ５１／ｓｐｅａｋｅｒ．ｈｔｍｌ  ＞
【０００７】
【発明が解決しようとする課題】
しかしながら左右信号波を概略反転し、効果を成すため仮想立体音場を形成するときに、音圧が著しく低下する現象が発生する。これを防止する為には、左右スピーカから発生する空気音響振動をなるべく分離して受聴することが望ましい。
本発明は、筐体デザインに違和感がなく、左右の音響振動を分離する効果を有し、効果的な立体音響空間を形成でき、商品性向上に結びつくステレオ携帯電話機を提供することを目的とする。
【０００８】
【課題を解決するための手段】
請求項１に記載の発明であるステレオ携帯電話は、無線信号の符号化等を行う送信部と、無線信号の復号化等を行う受信部と、ステレオ信号を生成するステレオ音源部と、電話機の動作の指示内容を入力する操作部と、装置全体の制御を司る制御部と、２つのスピーカと、上記スピーカに電気信号を印加するステレオ再生手段と、上記２つのスピーカの間に、空気音響振動を分離する音響仕切り手段とを有することを特徴とする。
【０００９】
請求項２に記載の発明は、請求項１に記載のステレオ携帯電話であって、上記ステレオ再生手段は、１つの電気信号の位相を反転し、仮想音響空間を形成することを特徴とする。
【００１０】
請求項３に記載の発明は、請求項２に記載のステレオ携帯電話であって、上記音響仕切り手段は、アンテナ収容の為の筐体隆起部分であることを特徴とする。
【００１１】
請求項４に記載の発明は、請求項２に記載のステレオ携帯電話であって、上記スピーカは、音孔周囲を筐体面より低い位置に設置されたことを特徴とする。
【００１２】
請求項５に記載の発明は、請求項２に記載のステレオ携帯電話であって、上記スピーカは、筐体の前背面に設置されたことを特徴とする。
【００１３】
請求項６に記載の発明は、請求項２に記載のステレオ携帯電話であって、筐体は２つの筐体を折り畳む折り畳み筐体であって、上記スピーカはそれぞれの筐体背面に１つずつ備えられたことを特徴とする。
【００１４】
請求項７に記載の発明は、請求項３から６のいずれか１項に記載のステレオ携帯電話であって、上記スピーカは、不使用時にカバーで覆われており、使用時には当該カバーを開けることで当該カバーが前記音響仕切り手段として機能することを特徴とする。
【００１５】
【発明の実施の形態】
図面を用いて動作の説明をする。
図１は本発明のブロック図である。本発明のステレオ携帯電話はアンテナ１、受信部２、送信部３、制御部４、操作部５、ステレオ音源部６、スピーカ７、８を有する。
アンテナ１は、携帯電話のアンテナであり基地局との無線接続をするために使用される。
受信部２及び送信部３は、アンテナ１と無線信号を送受信し、高周波情報をベースバンド領域に変換する。変換された信号は制御部４により携帯電話の制御に供される。
制御部４は、操作部５及びステレオ音源６に接続されており、装置全体の制御を司る。
操作部５は、操作の入力を受け付け、発呼及び着呼といった電話機の基本動作の指示を与えることができる。
ステレオ音源６の出力は左右チャンネルに分かれ、スピーカ７、８に接続している。左右の信号は互いに独立しているが仮想的な立体音を形成する為に左右のチャンネルの信号波を概略反転させることで音源の仮想方向を決めることができるものである。
スピーカ７、８はステレオ音源６の電気ステレオ信号を音響変換している。
【００１６】
動作原理を図２に示す。
音源Ａ、Ｂに位相が概略反転している電気信号を印加すると、それぞれの音源より電気信号に相当する音響空気振動波が発生し、受聴者両耳に振動が到達する。例えば音源Ａ、Ｂの音響空気振動波は経路ｒ１Ａ、ｒ１Ｂをたどって受聴者右耳に到達し、右耳ではそれぞれの経路をたどって来た音響空気振動波が干渉し合成される。左耳においても同様にそれぞれの音源より発生した音響空気振動波が干渉し合成される。このとき左右の耳では、音源からの経路差により、合成された音響空気振動波は音源の持つ位相とは異なる位相を有している。
【００１７】
一方単一音源を設定したときにも音源と受聴者両耳までの距離に経路差があるため、位相の差分が発生する。ここで先の音源Ａ、Ｂによる位相差分と単一音源の位相差分が同じになれば、音源Ａ、Ｂにより発生する音響空気振動波は、単一音源より発生する音響空気振動波と等しく音源Ａ、Ｂにより仮想的に単一音源を作り出すことができる。
こうして音源の仮想方向を決めることができ、音源Ａ、Ｂの位相差を制御することで仮想音源方向を変化させ、仮想立体音響空間を形成することができるのである。
【００１８】
図３は本発明の外観斜視図である。携帯電話機筐体９にはスピーカ音孔１０、１１が穿孔してあり、外観斜視図からは図示されないスピーカ７、８の音響振動を筐体外部に放射する。音孔１０、１１の間にはアンテナを筐体内部に収納する為の線状の隆起１２が設けられ、音孔１０、１１を筐体の左右に仕切るものである。
【００１９】
今、操作部５によるステレオ再生指示もしくは基地局からの着信指示が制御部４に送られると、制御部４はステレオ音源６にステレオ再生制御を行わせる。このときステレオ音源６は位相が概略反転している音響信号を発生させ、スピーカ７、８に供給する。これら電気信号はスピーカ７、８により音響空気振動波に変換され、音孔１０、１１から空間に放射される。
【００２０】
これら音響空気振動波は互いに位相が概略反転している為、空間を伝播するとき互いに干渉して音圧を低下せしむるが、線状の隆起１２が音響仕切りとして働くため、音孔付近では干渉を防止できる。
今回の実施例では音孔間の距離２５ｍｍ、音響仕切りの高さ（アンテナを筐体内部に収納する為の線状の隆起）を１０ｍｍとし、その測定結果を図４に示す。
【００２１】
図４は音孔面を筐体面と同等の高さの面に設置し、本発明による音響仕切りのある場合とそうでない場合とで左右電気信号位相差と受聴位置における音圧の変化を示す。これによれば、音響仕切りのないときと本発明による音響仕切りのあるときの効果の差は、位相差１８０度付近で約６ｄＢあることがわかる。
【００２２】
本発明の第２の実施例を説明する。図５は第２の実施例におけるステレオ携帯電話の外観斜視図である。
スピーカ音孔１３、１４が筐体９に穿孔されており、周囲を面とした音孔面を形成して携帯電話機筐体９の外観面より落ち込ませている。筐体面が音響仕切りとして働き、第１の実施例と同様の働きと効果を持ち、受聴位置における音圧低下を防止する。
尚穿孔の形状は本図のものに限らず種々の応用が可能である。
【００２３】
本発明の第３の実施例を説明する。図６は第３の実施例におけるステレオ携帯電話の側面断面図である。本実施例では折り畳み型で図示しているがストレート型の筐体であってもよい。スピーカ７、８はステレオ音源の出力にそれぞれ接続する。
【００２４】
図７は本実施例の筐体外観図である。スピーカ７に対して筐体表面に音孔１０を穿孔しておく。図面では図示していないが反対面にはスピーカ８に対する音孔１１を設けておく。今ステレオ音源より電気信号が出力されるとスピーカ７、８より電気信号に対応する音響出力が生成され、音孔１０、１１より空気振動が排出され周囲空間に伝播していく。音孔は可聴波長（数十ｃｍ程度）に較べ十分小さい大きさ（数ｍｍ程度）としておけば点音源と見なせるためほぼ同心円状に空気振動が伝播して行く。これは音孔１０、１１に対して同じであり、この結果仮想立体音響空間が筐体側面に形成されることになる。このとき筐体９は音孔１０、１１を分離する音響仕切りとして働き、第１の実施例で説明した音孔付近の音量低下を防ぎ、受聴位置における音量感を増加させる。
【００２５】
次に図８に示す折り畳み筐体を開いた状態の動作を説明する。折り畳み筐体を開いた状態では音孔１０、１１より伝播する音響振動は図８の筐体９の矢印方向に強くなる。この結果仮想立体音響空間は筐体図示方向となる。また筐体はヒンジ部１５を頂点とする凸状となっており、筐体９はヒンジ部１５が音響仕切りとして働くことになる。したがって、仮想立体音響空間における音量はすでに第１の実施例で述べたような動作で増加する。
【００２６】
以上の実施例において、通常時にスピーカをカバーで覆う構造を有しても良い。使用時にカバーを開け、カバーが音響仕切りの役割を果たし、音響エネルギーの散逸も防ぐ。
その際、開放方向や開放方向の数は様々なものが適用可能である。
【００２７】
【発明の効果】
以上説明したように、本発明によれば、仮想立体音場を形成する際に発生する音圧の低下を防ぎ、受聴位置における音量感を増加させることでより臨場感のある音響空間を形成する効果を有する。
【図面の簡単な説明】
【図１】本発明のステレオ携帯電話の構成を示すブロック図である。
【図２】仮想的な立体音を形成する動作原理を示す図である。
【図３】ステレオ携帯電話の外観斜視図である。
【図４】従来のステレオ機能を有する携帯電話機と、本発明の音響仕切りを有する携帯電話機における音源の位相差と音圧レベルの関係を示す図である。
【図５】本発明の第２の実施例におけるステレオ携帯電話の外観斜視図である。
【図６】本発明の第３の実施例におけるステレオ携帯電話の側面断面図である。
【図７】本発明の第３の実施例におけるステレオ携帯電話の筐体外観図である。
【図８】本発明の第３の実施例におけるステレオ携帯電話の折り畳み筐体を開いた状態を示す図である。
【符号の説明】
１  アンテナ
２  受信部
３  送信部
４  制御部
５  操作部
６  ステレオ音源部
７、８  スピーカ
９  筐体
１０、１１  スピーカ音孔
１３、１４  スピーカ音孔
１５  ヒンジ部
【図１】
2004221840.tif 000003
【図２】
2004221840.tif 000004
【図３】
2004221840.tif 000005
【図４】
2004221840.tif 000006
【図５】
2004221840.tif 000007
【図６】
2004221840.tif 000008
【図７】
2004221840.tif 000009
【図８】
2004221840.tif 000010